(57)【要約】【課題】調剤薬局において、処方箋に記載された医薬品の一般名に基づき、患者へ提供する医薬品を選択する場合に、誤った医薬品を選択することの防止を目的とする。【解決手段】対応薬特定部１６は、処方箋に記載された一般名の医薬品を医薬品記憶部１１から検索して、検索した全ての医薬品を対応薬として特定する。適応症検索部２０は、特定された対応薬の適応症を適応症記憶部１２から検索し、警告出力部１８は、特定された対応薬間で、検索された適応症に差異がある場合には、警告を出力する。【選択図】図１
2014179005.tif 000002
【特許請求の範囲】
【請求項１】
医薬品毎に、一般名を記憶する医薬品記憶部と、
前記医薬品記憶部から、処方箋に記載された一般名の医薬品を複数検索して、検索した各医薬品を対応薬として特定する対応薬特定部と、
医薬品毎に、その医薬品の適応症を記憶する適応症記憶部と、
前記適応症記憶部が記憶した適応症から、前記対応薬特定部が特定した各対応薬の適応症を検索する適応症検索部と
前記対応薬特定部が特定した対応薬間で、前記適応症検索部が検索した適応症に差異がある場合には、警告を出力する警告出力部と
を備えることを特徴とする対応薬確認装置。
【請求項２】
前記対応薬確認装置は、さらに、
医薬品毎に、摂取用量を記憶する摂取用量記憶部と、
前記摂取用量記憶部が記憶した摂取用量から、前記対応薬特定部が特定した各対応薬の摂取用量を検索する摂取用量検索部と
を備え、
前記警告出力部は、前記対応薬特定部が特定した対応薬間で、前記摂取用量検索部が検索した摂取用量に差異がある場合には、警告を出力する
ことを特徴とする請求項１に記載の対応薬確認装置。
【請求項３】
前記対応薬確認装置は、さらに、
医薬品毎に、その医薬品の副作用を記憶する副作用記憶部と、
前記副作用記憶部が記憶した副作用から、前記対応薬特定部が特定した各対応薬の副作用を検索する副作用検索部と
を備え、
前記警告出力部は、前記対応薬特定部が特定した対応薬間で、前記副作用検索部が検索した副作用に差異がある場合には、警告を出力する
ことを特徴とする請求項１又は２に記載の対応薬確認装置。
【請求項４】
前記対応薬確認装置は、さらに、
医薬品毎に、その医薬品の病名禁忌を記憶する病名禁忌記憶部と、
前記病名禁忌記憶部が記憶した病名禁忌から、前記対応薬特定部が特定した各対応薬の病名禁忌を検索する病名禁忌検索部と
を備え、
前記警告出力部は、前記対応薬特定部が特定した対応薬間で、前記病名禁忌検索部が検索した病名禁忌に差異がある場合には、警告を出力する
ことを特徴とする請求項１から３までのいずれかに記載の対応薬確認装置。
【請求項５】
予め医薬品毎に一般名を記憶した記憶装置から、処方箋に記載された一般名の医薬品を複数検索して、検索した各医薬品を対応薬として特定する対応薬特定処理と、
予め医薬品毎にその医薬品の適応症を記憶した記憶装置から、前記対応薬特定処理で特定した各対応薬の適応症を検索する適応症検索処理と
前記対応薬特定処理で特定した対応薬間で、前記適応症検索処理で検索した適応症に差異がある場合には、警告を出力する警告出力処理と
をコンピュータに実行させることを特徴とする対応薬確認プログラム。
【発明の詳細な説明】
【技術分野】
【０００１】
この発明は、一般名で医薬品が記載された処方箋に基づき、調剤薬局で調剤を行う場合における調剤過誤と適応外使用との防止技術に関する。
【背景技術】
【０００２】
医師が記載した処方箋に基づき、調剤薬局で調剤が行われ、患者へ医薬品が提供される。
【０００３】
以前は、提供する医薬品は、商品を一意に識別可能な商品名で処方箋に記載されていた。医薬品が商品名で記載されている場合、調剤薬局では、処方箋に記載された商品名の医薬品を患者へ提供するのが一般的であった。
しかし、ジェネリック医薬品を普及させ、医療費の低減を図るため、提供する医薬品を、医薬品の主成分等を表す一般名で処方箋に記載することが推奨されるようになった。そのため、徐々に、提供する医薬品は一般名で処方箋に記載されるようになってきた。医薬品が一般名で記載されている場合、調剤薬局では、処方箋に記載された一般名を持つ複数の医薬品の中から適切な医薬品を選択して、患者へ提供する必要がある。
【０００４】
特許文献１には、指定された一般名を持つ医薬品を特定する技術について記載されている。
【先行技術文献】
【特許文献】
【０００５】
【特許文献１】特開２００４−４６４８６号公報
【発明の概要】
【発明が解決しようとする課題】
【０００６】
同じ一般名を持つ医薬品は主成分は同じであるものの、医薬品によっては適応拡大により適応症が異なる場合がある。そのため、同じ一般名を持つ医薬品であるからといって、どれでも患者へ提供できるわけではない。しかし、調剤薬局ではこれらの差異があることに気づかず、誤った調剤を行う恐れがある。
特に、処方箋には患者の疾患名は記載されておらず、相当に気をつけていなくては、調剤薬局では適応症外の医薬品を選択して、誤った調剤を行ってしまう恐れがある。
この発明は、患者へ提供する医薬品を選択する場合に、誤った医薬品を選択することの防止を目的とする。
【課題を解決するための手段】
【０００７】
この発明に係る対応薬確認装置は、
医薬品毎に、一般名を記憶する医薬品記憶部と、
前記医薬品記憶部から、処方箋に記載された一般名の医薬品を複数検索して、検索した各医薬品を対応薬として特定する対応薬特定部と、
医薬品毎に、その医薬品の適応症を記憶する適応症記憶部と、
前記適応症記憶部が記憶した適応症から、前記対応薬特定部が特定した各対応薬の適応症を検索する適応症検索部と
前記対応薬特定部が特定した対応薬間で、前記適応症検索部が検索した適応症に差異がある場合には、警告を出力する警告出力部と
を備えることを特徴とする。
【０００８】
前記対応薬確認装置は、さらに、
医薬品毎に、摂取用量を記憶する摂取用量記憶部と、
前記摂取用量記憶部が記憶した摂取用量から、前記対応薬特定部が特定した各対応薬の摂取用量を検索する摂取用量検索部と
を備え、
前記警告出力部は、前記対応薬特定部が特定した対応薬間で、前記摂取用量検索部が検索した摂取用量に差異がある場合には、警告を出力する
ことを特徴とする。
【０００９】
前記対応薬確認装置は、さらに、
医薬品毎に、その医薬品の副作用を記憶する副作用記憶部と、
前記副作用記憶部が記憶した副作用から、前記対応薬特定部が特定した各対応薬の副作用を検索する副作用検索部と
を備え、
前記警告出力部は、前記対応薬特定部が特定した対応薬間で、前記副作用検索部が検索した副作用に差異がある場合には、警告を出力する
ことを特徴とする。
【００１０】
前記対応薬確認装置は、さらに、
医薬品毎に、その医薬品の病名禁忌を記憶する病名禁忌記憶部と、
前記病名禁忌記憶部が記憶した病名禁忌から、前記対応薬特定部が特定した各対応薬の病名禁忌を検索する病名禁忌検索部と
を備え、
前記警告出力部は、前記対応薬特定部が特定した対応薬間で、前記病名禁忌検索部が検索した病名禁忌に差異がある場合には、警告を出力する
ことを特徴とする。
【００１１】
この発明に係る対応薬確認プログラムは、
予め医薬品毎に一般名を記憶した記憶装置から、処方箋に記載された一般名の医薬品を複数検索して、検索した各医薬品を対応薬として特定する対応薬特定処理と、
予め医薬品毎にその医薬品の適応症を記憶した記憶装置から、前記対応薬特定処理で特定した各対応薬の適応症を検索する適応症検索処理と
前記対応薬特定処理で特定した対応薬間で、前記適応症検索処理で検索した適応症に差異がある場合には、警告を出力する警告出力処理と
をコンピュータに実行させることを特徴とする。
【発明の効果】
【００１２】
この発明に係る対応薬確認装置は、処方箋に記載された一般名を持つ医薬品間で、適応症に差異がある場合には、警告を出力する。そのため、医薬品の選択に注意する必要があることが分かり、誤った医薬品の選択防止することができる。
【図面の簡単な説明】
【００１３】
【図１】実施の形態１に係る対応薬確認装置１０の構成図。
【図２】医薬品記憶部１１が記憶する情報の例を示す図。
【図３】適応症記憶部１２が記憶する情報の例を示す図。
【図４】摂取用量記憶部１３が記憶する情報の例を示す図。
【図５】副作用記憶部１４が記憶する情報の例を示す図。
【図６】病名禁忌記憶部１５が記憶する情報の例を示す図。
【図７】実施の形態１に係る対応薬確認装置１０の動作を示すフローチャート。
【図８】実施の形態１に係る対応薬確認装置１０のハードウェア構成の一例を示す図。
【発明を実施するための形態】
【００１４】
実施の形態１．
図１は、実施の形態１に係る対応薬確認装置１０の構成図である。
対応薬確認装置１０は、調剤過誤が起こる恐れがある場合に、警告を出力する。
対応薬確認装置１０は、医薬品記憶部１１、適応症記憶部１２、摂取用量記憶部１３、副作用記憶部１４、病名禁忌記憶部１５、対応薬特定部１６、相違確認部１７、警告出力部１８、医薬品表示部１９を備える。
【００１５】
医薬品記憶部１１は、医薬品毎に、その医薬品に関する情報を記憶した記憶装置であり、医薬品のマザーマスタである。
図２は、医薬品記憶部１１が記憶する情報の例を示す図である。図２では、医薬品記憶部１１は、医薬品毎に、商品名と、ＹＪコード（個別医薬品コード）と、一般名とを記憶する。
商品名は、医薬品を一意に特定可能な名称である。ＹＪコードは、医薬品毎に割り当てられた識別子であり、１２ケタの値である。ＹＪコードの先頭の９ケタは主成分、投与経路、剤形等を示しており、続く２ケタは先頭９ケタが同じ医薬品における商品別の番号であり、最後の１ケタはチェックデジットである。一般名は、概ねＹＪコードの先頭９ケタが同一の医薬品に割り当てられた名称である。
【００１６】
適応症記憶部１２は、医薬品毎に、その医薬品の適応症を記憶した記憶装置である。
図３は、適応症記憶部１２が記憶する情報の例を示す図である。図３では、適応症記憶部１２は、ＹＪコード、連番毎に、適応症を記憶する。
ＹＪコードは、上述した通りである。連番は、１つの医薬品が複数の適応症を有する場合に割り当てられる番号である。適応症は、医薬品の効果が期待できる症状である。
【００１７】
摂取用量記憶部１３は、医薬品毎に、その医薬品の摂取用量を記憶した記憶装置である。
図４は、摂取用量記憶部１３が記憶する情報の例を示す図である。図４では、摂取用量記憶部１３は、ＹＪコード毎に、限度量、常用量上限、常用量下限を記憶する。
ＹＪコードは、上述した通りである。限度量は、その医薬品を服用できる容量の上限である。常用量上限は、日常的に服用する用量の上限である。常用量下限は、日常的に服用する用量の下限である。つまり、図４では、摂取用量記憶部１３は、摂取用量として、限度量、常用量上限、常用量下限を記憶する。
【００１８】
副作用記憶部１４は、医薬品毎に、その医薬品の副作用を記憶した記憶装置である。
図５は、副作用記憶部１４が記憶する情報の例を示す図である。図５では、副作用記憶部１４は、ＹＪコード、連番毎に、副作用を記憶する。
ＹＪコードは、上述した通りである。連番は、１つの医薬品が複数の副作用を有する場合に割り当てられる番号である。副作用は、医薬品の病気を治すのとは別の作用である。
【００１９】
病名禁忌記憶部１５は、医薬品毎に、その医薬品の病名禁忌を記憶した記憶装置である。
図６は、病名禁忌記憶部１５が記憶する情報の例を示す図である。図６では、病名禁忌記憶部１５は、ＹＪコード、連番毎に、病名禁忌を記憶する。
ＹＪコードは、上述した通りである。連番は、１つの医薬品が複数の病名禁忌を有する場合に割り当てられる番号である。病名禁忌は、医薬品を服用してはいけない病気の病名である。
【００２０】
対応薬特定部１６は、処理装置により、医薬品記憶部１１が記憶した一般名から、処方箋に記載された処方薬の一般名を検索して、処方薬と同じ一般名の医薬品を対応薬として特定する。
【００２１】
相違確認部１７は、処理装置により、対応薬特定部１６が特定した対応薬間で、適応症と、摂取用量と、副作用と、病名禁忌との少なくともいずれかに差異があるか否かを確認する。
相違確認部１７は、適応症検索部２０、摂取用量検索部２１、副作用検索部２２、病名禁忌検索部２３を備える。
【００２２】
警告出力部１８は、対応薬特定部１６が特定した対応薬間で、適応症と、摂取用量と、副作用と、病名禁忌との少なくともいずれかに差異があることを相違確認部１７が確認した場合に、警告を出力する。例えば、警告出力部１８は、いずれかに差異があることを相違確認部１７が確認した場合に、その旨のメッセージを表示装置に表示する。
【００２３】
医薬品表示部１９は、対応薬特定部１６が特定した対応薬の商品名やＹＪコードの一覧表を表示装置に表示する。
なお、医薬品表示部１９は、対応薬の一覧表を表示する際、適応症と、摂取用量と、副作用と、病名禁忌とのいずれかにおいて、対応薬間に差異がある場合には、差異がある部分の色を変える等、差異がある部分を明示してもよい。
【００２４】
適応症検索部２０は、適応症記憶部１２が記憶した適応症から、対応薬特定部１６が特定した各対応薬の適応症を検索する。つまり、適応症検索部２０は、対応薬特定部１６が特定した各対応薬のＹＪコードを検索キーワードとして適応症記憶部１２を検索して、各対応薬の全ての適応症を抽出する。そして、適応症検索部２０は、対応薬間で、適応症を比較し、差異があるか否かを判定する。
なお、適応症検索部２０は、対応薬間で適応症が全く違っている場合だけでなく、各対応薬が複数の適応症を持っている場合に、一部の適応症に差異がある場合や、ある対応薬だけ一部の適応症を持っていない場合や、ある対応薬だけ一部の適応症を持っている場合も、対応薬間で適応症に差異があると判定する。
【００２５】
摂取用量検索部２１は、摂取用量記憶部１３が記憶した摂取用量から、対応薬特定部１６が特定した対応薬の摂取用量を検索する。つまり、摂取用量検索部２１は、対応薬特定部１６が特定した各対応薬のＹＪコードを検索キーワードとして摂取用量記憶部１３を検索して、各対応薬の摂取用量を抽出する。そして、摂取用量検索部２１は、対応薬間で、摂取用量を比較し、差異があるか否かを判定する。
なお、摂取用量検索部２１は、対応薬間で、限度量と、常用量上限と、常用量下限との少なくともいずれかが違う場合、対応薬間で摂取用量に差異があると判定する。
【００２６】
副作用検索部２２は、副作用記憶部１４が記憶した副作用から、対応薬特定部１６が特定した対応薬の副作用を検索する。つまり、副作用検索部２２は、対応薬特定部１６が特定した各対応薬のＹＪコードを検索キーワードとして副作用記憶部１４を検索して、各対応薬の全ての副作用を抽出する。そして、副作用検索部２２は、対応薬間で、副作用を比較し、差異があるか否かを判定する。
なお、副作用検索部２２は、対応薬間で副作用が全く違っている場合だけでなく、各対応薬が複数の副作用を持っている場合に、一部の副作用に差異がある場合や、ある対応薬だけ一部の副作用を持っていない場合や、ある対応薬だけ一部の副作用を持っている場合も、対応薬間で副作用に差異があると判定する。
【００２７】
病名禁忌検索部２３は、病名禁忌記憶部１５が記憶した病名禁忌から、対応薬特定部１６が特定した対応薬の病名禁忌を検索する。つまり、病名禁忌検索部２３は、対応薬特定部１６が特定した各対応薬のＹＪコードを検索キーワードとして病名禁忌記憶部１５を検索して、各対応薬の全ての病名禁忌を抽出する。そして、病名禁忌検索部２３は、対応薬間で、病名禁忌を比較し、差異があるか否かを判定する。
なお、病名禁忌検索部２３は、対応薬間で病名禁忌が全く違っている場合だけでなく、各対応薬が複数の病名禁忌を持っている場合に、一部の病名禁忌に差異がある場合や、ある対応薬だけ一部の病名禁忌を持っていない場合や、ある対応薬だけ一部の病名禁忌を持っている場合も、対応薬間で病名禁忌に差異があると判定する。
【００２８】
図７は、実施の形態１に係る対応薬確認装置１０の動作を示すフローチャートである。
処方箋に記載された医薬品の一般名が入力されると、対応薬特定部１６は、入力された一般名を持つ医薬品を対象薬として特定する（Ｓ１）。
【００２９】
すると、適応症検索部２０は、Ｓ１で特定された各対応薬の適応症を検索する（Ｓ２）。そして、適応症検索部２０は、対応薬間で、適応症を比較し、差異があるか否かを判定する（Ｓ３）。
対応薬間で適応症に差異があれば（Ｓ３でＹＥＳ）、警告出力部１８は、適応症が異なる医薬品が存在する旨のメッセージを表示する（Ｓ４）。
【００３０】
次に、摂取用量検索部２１は、Ｓ１で特定された各対応薬の摂取用量を検索する（Ｓ５）。そして、摂取用量検索部２１は、対応薬間で、摂取用量を比較し、差異があるか否かを判定する（Ｓ６）。
対応薬間で摂取用量に差異があれば（Ｓ６でＹＥＳ）、警告出力部１８は、摂取用量が異なる医薬品が存在する旨のメッセージを表示する（Ｓ７）。
【００３１】
次に、副作用検索部２２は、Ｓ１で特定された各対応薬の副作用を検索する（Ｓ８）。そして、副作用検索部２２は、対応薬間で、副作用を比較し、差異があるか否かを判定する（Ｓ９）。
対応薬間で副作用に差異があれば（Ｓ９でＹＥＳ）、警告出力部１８は、副作用が異なる医薬品が存在する旨のメッセージを表示する（Ｓ１０）。
【００３２】
次に、病名禁忌検索部２３は、Ｓ１で特定された各対応薬の病名禁忌を検索する（Ｓ１１）。そして、病名禁忌検索部２３は、対応薬間で、病名禁忌を比較し、差異があるか否かを判定する（Ｓ１２）。
対応薬間で病名禁忌に差異があれば（Ｓ１２でＹＥＳ）、警告出力部１８は、病名禁忌が異なる医薬品が存在する旨のメッセージを表示する（Ｓ１３）。
【００３３】
そして、医薬品表示部１９は、Ｓ１で特定された対応薬の一覧表を表示する（Ｓ１４）。
【００３４】
例えば、処方箋に一般名２が記載されている場合、図２に示す医薬品記憶部１１から、医薬品Ｂ（ＹＪコード２２２２２２２２Ｂ２２２）と、医薬品Ｃ（ＹＪコード２２２２２２２２Ｂ２３３）と、医薬品Ｄ（ＹＪコード２２２２２２２２Ｂ２４４）とが対応薬として特定される（Ｓ１）。
【００３５】
すると、図３に示す適応症記憶部１２から、対応薬である医薬品Ｂ，Ｃ，Ｄの適応症が検索され（Ｓ２）、医薬品Ｄには、医薬品Ｂ，Ｃにはない不整脈があると判定される（Ｓ３）。そして、適応症に差異がある旨のメッセージが表示される（Ｓ４）。
【００３６】
また、図４に示す摂取用量記憶部１３から、対応薬である医薬品Ｂ，Ｃ，Ｄの摂取用量が検索され（Ｓ５）、医薬品Ｂは、医薬品Ａ，Ｃとは異なり常用量上限が２錠であると判定される（Ｓ６）。そして、摂取用量に差異がある旨のメッセージが表示される（Ｓ７）。
【００３７】
また、図５に示す副作用記憶部１４から、対応薬である医薬品Ｂ，Ｃ，Ｄの副作用が検索され（Ｓ８）、医薬品Ｂ，Ｃには、医薬品Ｄにはない副作用２があり、医薬品Ｄには、医薬品Ｂ，Ｃにはない副作用３，４があると判定される（Ｓ９）。そして、副作用に差異がある旨のメッセージが表示される（Ｓ１０）。
【００３８】
また、図６に示す病名禁忌記憶部１５から、対応薬である医薬品Ｂ，Ｃ，Ｄの病名禁忌が検索され（Ｓ１１）、医薬品Ｂ，Ｃには、医薬品Ｄにはない病名２があり、医薬品Ｄには、医薬品Ｂ，Ｃにはない病名３，４があると判定される（Ｓ１２）。そして、病名禁忌に差異がある旨のメッセージが表示される（Ｓ１３）。
【００３９】
そして、対応薬である医薬品Ｂ，Ｃ，Ｄの一覧表が表示される（Ｓ１４）。
【００４０】
以上のように、実施の形態１に係る対応薬確認装置１０は、一般名が同じ医薬品間において、適応症と、摂取用量と、副作用と、病名禁忌とのいずれかに差異がある場合には、警告メッセージを表示する。
これにより、調剤薬局では、一般名が同じ医薬品間において、適応症と、摂取用量と、副作用と、病名禁忌とのいずれかに差異があることに気づかず、調剤過誤を行ってしまうことを防止できる。その結果、適応症外の医薬品を患者に提供してしまうことや、常用量上限を超えた用量の医薬品を患者に提供してしまうことや、患者が望まない副作用を持つ医薬品を患者に提供してしまうことや、患者が服用することができない医薬品を患者に提供してしまうことを防止できる。
【００４１】
なお、上記説明では、医薬品が一般名で記載された処方箋を取り扱う場合について説明した。しかし、医薬品が商品名で記載された処方箋であっても、ジェネリック医薬品への変更が可能な処方箋の場合には、その商品名で特定される医薬品と主成分等が同じ（つまり、一般名が同じ）ジェネリック医薬品を患者へ提供する場合がある。この場合にも、上記説明と同様に、一般名が同じ医薬品間において、適応症と、摂取用量と、副作用と、病名禁忌とのいずれかに差異がある場合には、警告メッセージを表示することにより、調剤過誤を防止することができる。
【００４２】
図８は、実施の形態１に係る対応薬確認装置１０のハードウェア構成の一例を示す図である。
図８に示すように、対応薬確認装置１０は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００４３】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４４】
プログラム群９２３には、上記の説明において「対応薬特定部１６」、「相違確認部１７」、「警告出力部１８」、「医薬品表示部１９」、「適応症検索部２０」、「摂取用量検索部２１」、「副作用検索部２２」、「病名禁忌検索部２３」等として説明した機能を実行するソフトウェアやプログラムやその他のプログラムが記憶されている。プログラムは、ＣＰＵ９１１により読み出され実行される。
ファイル群９２４には、上記の説明において「医薬品記憶部１１」、「適応症記憶部１２」、「摂取用量記憶部１３」、「副作用記憶部１４」、「病名禁忌記憶部１５」等に記憶される情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００４５】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００４６】
１０  対応薬確認装置、１１  医薬品記憶部、１２  適応症記憶部、１３  摂取用量記憶部、１４  副作用記憶部、１５  病名禁忌記憶部、１６  対応薬特定部、１７  相違確認部、１８  警告出力部、１９  医薬品表示部、２０  適応症検索部、２１  摂取用量検索部、２２  副作用検索部、２３  病名禁忌検索部。
【図１】
2014179005.tif 000003
【図２】
2014179005.tif 000004
【図３】
2014179005.tif 000005
【図４】
2014179005.tif 000006
【図５】
2014179005.tif 000007
【図６】
2014179005.tif 000008
【図７】
2014179005.tif 000009
【図８】
2014179005.tif 000010
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
調剤薬局において使用される対応薬確認装置であり、
医薬品毎に、一般名を記憶する医薬品記憶部と、
前記医薬品記憶部から、処方箋に記載された一般名の医薬品を複数検索して、検索した各医薬品を対応薬として特定する対応薬特定部と、
医薬品毎に、その医薬品の適応症を記憶する適応症記憶部と、
前記適応症記憶部が記憶した適応症から、前記対応薬特定部が特定した各対応薬の適応症を検索する適応症検索部と
前記対応薬特定部が特定した対応薬間で、前記適応症検索部が検索した適応症に差異がある場合には、警告を出力する警告出力部と
を備えることを特徴とする対応薬確認装置。
【請求項２】
前記対応薬確認装置は、さらに、
医薬品毎に、摂取用量を記憶する摂取用量記憶部と、
前記摂取用量記憶部が記憶した摂取用量から、前記対応薬特定部が特定した各対応薬の摂取用量を検索する摂取用量検索部と
を備え、
前記警告出力部は、前記対応薬特定部が特定した対応薬間で、前記摂取用量検索部が検索した摂取用量に差異がある場合には、警告を出力する
ことを特徴とする請求項１に記載の対応薬確認装置。
【請求項３】
前記対応薬確認装置は、さらに、
医薬品毎に、その医薬品の副作用を記憶する副作用記憶部と、
前記副作用記憶部が記憶した副作用から、前記対応薬特定部が特定した各対応薬の副作用を検索する副作用検索部と
を備え、
前記警告出力部は、前記対応薬特定部が特定した対応薬間で、前記副作用検索部が検索した副作用に差異がある場合には、警告を出力する
ことを特徴とする請求項１又は２に記載の対応薬確認装置。
【請求項４】
前記対応薬確認装置は、さらに、
医薬品毎に、その医薬品の病名禁忌を記憶する病名禁忌記憶部と、
前記病名禁忌記憶部が記憶した病名禁忌から、前記対応薬特定部が特定した各対応薬の病名禁忌を検索する病名禁忌検索部と
を備え、
前記警告出力部は、前記対応薬特定部が特定した対応薬間で、前記病名禁忌検索部が検索した病名禁忌に差異がある場合には、警告を出力する
ことを特徴とする請求項１から３までのいずれかに記載の対応薬確認装置。
【請求項５】
調剤薬局において使用される対応薬確認プログラムであり、
予め医薬品毎に一般名を記憶した記憶装置から、処方箋に記載された一般名の医薬品を複数検索して、検索した各医薬品を対応薬として特定する対応薬特定処理と、
予め医薬品毎にその医薬品の適応症を記憶した記憶装置から、前記対応薬特定処理で特定した各対応薬の適応症を検索する適応症検索処理と
前記対応薬特定処理で特定した対応薬間で、前記適応症検索処理で検索した適応症に差異がある場合には、警告を出力する警告出力処理と
をコンピュータに実行させることを特徴とする対応薬確認プログラム。